(57)【要約】【課題】排水の水質を改善した固液分離装置を提供する。【解決手段】リング体３を積層したストレーナ１０を内蔵した容器１８と、固形物を掻き取るスクレーパ１６と、容器１８側面に開口した取出口２０、および底面に開口した出口２５とを備え、リング体３の外形に形成した切込み４に臨むように容器１８の側面に固液の入口２３を開口したものである。固液はストレーナ１０の間隙に向かって流れ、切込み４に入ることとなり、これにより、固形物が固液内に分散する時間がなく、細かい固形物が液体に溶けることが防止できる。続いて、切込み４に入った固形物はストレーナ１０の回転に伴い移動し、スクレーパ１６により剥離されて取出口２０から回収される。固形物に付着した液体は自重によりストレーナ１０の間隙を通過して出口２５から排水される。【選択図】図１
2009285559.tif 000002
【特許請求の範囲】
【請求項１】
複数の平板状のリング体を間隙を介して積層して構成した円筒状のストレーナと、略円筒状の空間に前記ストレーナを回転自在に内蔵した容器と、前記ストレーナに付着した固形物を掻き取るスクレーパと、前記スクレーパに対して前記ストレーナの回転方向上流側に位置して前記容器に開設した取出口と、前記ストレーナ内に臨むごとく前記容器底面に開設され、前記ストレーナの間隙を通過した液体を排水する出口と、前記容器の側面に開設した固液流入用の入口とを備え、前記リング体外形にはストレーナの回転に対応して前記入口に臨む切込みを形成した固液分離装置。
【請求項２】
入口は、ストレーナの回転軸より上方で、かつ上方へ回転する切込みに対応する部位に開設した請求項１記載の固液分離装置。
【請求項３】
入口には略水平方向の導入管を接続した請求項１または２記載の固液分離装置。
【請求項４】
ストレーナの長手方向に伸びるごとく切込みを各リング体に形成した請求項１記載の固液分離装置。
【請求項５】
絶えず入口に臨むように各リング体の切込みの位置を回転方向に対してずらして設定した請求項４に記載の固液分離装置。
【請求項６】
切込みは、略三日月形状に切込んだ請求項１記載の固液分離装置。
【請求項７】
リング体の内形には、切込み近傍にリング体どおしを接合する接合部を形成した請求項１記載の固液分離装置。
【請求項８】
切込みと対応してリング体の内形に補強部を設けた請求項１記載の固液分離装置。
【発明の詳細な説明】
【技術分野】
【０００１】
本発明は破砕された生ごみ等の固形物が混ざった固液を固形物と液体とに分離する固液分離装置に関するものである。
【背景技術】
【０００２】
従来、この種の固液分離装置は、台所等で発生する生ごみを水道水と共に破砕し、脱水する生ごみ処理用などに使われている。
【０００３】
図６はその具体例を示し、複数の円形リング体１０１を隙間をおいて積層して構成した円筒状のストレーナ１０２が円筒状の容器１０３に回転自在に内設してある。
【０００４】
前記ストレーナ１０２を構成する複数の円形リング体１０１は連結材１０４で一体化されており、中心部に回転軸１０５を設けた放射形状のアーム１０６が内方に連結されている。
【０００５】
各円形リング体１０１の外周からは所定角度間隔で突起部１０７が突設してあり、前記回転軸１０５を介してストレーナ１０２を回転させた場合、それら突起部１０７の先端は容器１０３の内周面に近接して移動することとなる。
【０００６】
ストレーナ１０２と容器１０３との間の間隙が最も大きいところに開口するように固液流入用の入口１０８が、ストレーナ１０２の内部空間の底部に開口するように排液口１０９が前記容器１０３の適当部位にそれぞれ形成してある。
【０００７】
また、容器１０３にはストレーナ１０２を構成する複数の円形リング体１０１の隙間に進入して同円形リング体１０１に付着している固形物を掻きとるスクレーパ１１０と、このスクレーパ１１０で掻きとった固形物を外部へ排出する取出口１１１と、同取出口１１１を開閉する蓋体１１２とが設けてある。
【０００８】
前記蓋体１１２はヒンジ１１３を介して回転自在であり、通常は加圧手段となるスプリング１１４の作用で閉位置に付勢保持されている。
【０００９】
先ず、破砕機（図示せず）が投入された生ごみと水道水を破砕し、次に混合した固液が入口１０８から容器１０３に流入する。
【００１０】
そして、モータなどの駆動部の回転力を回転軸１０５に伝え、ストレーナ１０２を回転させると、突出部１０７が固形物（破砕された生ごみ）を掻きあげる。
【００１１】
その後、突出部１０７に乗っかった固形物や円形リング体１０１の外面に付着した固形物はスクレーパ１１０により剥離されて取出口１１１から排出され、乾燥やバイオの処理手段に回収される。
【００１２】
特に、固形物はスプリング１１４によりスクレーパ１１０に押し付けられた蓋体１１２を押し開く際に脱水される。
【００１３】
また、固形物に付着した液体（水道水や生ごみの汁等）は自重によりストレーナ１０２の間隙を通過して排液口１０９から排出される。
【００１４】
他方、容器１０３に流入した固液内の大部分の液体は直ちにストレーナ１０２の間隙を通過して排液口１０９から排水される（例えば、特許文献１参照）。
【特許文献１】特許第３６００４７４号公報
【発明の開示】
【発明が解決しようとする課題】
【００１５】
しかしながら、上記従来の固液分離装置では、入口１０８近傍の容器１０３の空間が広いため、突出部１０７の攪拌作用により、入口１０８から容器１０３に流入した固形物が固液内に分散し、細かい固形物は液体に溶けてしまう。
【００１６】
また、突出部１０７の突出長さは入口１０８の径より小さく、かつ突出部１０７の作用部が斜め下に向いているので、入口１０８から容器１０３に流入した固形物を直ちに掻きあげることができない。
【００１７】
したがって、固形物がさらに固液内に分散し、細かい固形物は液体に溶けることとなる。これらの結果、細かい固形物を含んだ液体がストレーナ１０２を通過して排液口１０９から排出されてしまうので、排液の水質が悪くなる課題を有していた。
【００１８】
なお、入口１１０８の径を小さくした場合、掻きあげ性能は改善できるが、その通路抵抗が増加し固形物が詰り易くなる。
【００１９】
本発明は上記課題を解決するもので、排水の水質を改善した固液分離装置を提供することを目的とするものである。
【課題を解決するための手段】
【００２０】
上記従来の課題を解決するために本発明は、複数の平板状のリング体を間隙を介して積層して構成した円筒状のストレーナと、略円筒状の空間に前記ストレーナを回転自在に内蔵した容器と、前記ストレーナに付着した固形物を掻き取るスクレーパと、前記スクレーパに対して前記ストレーナの回転方向上流側に位置して前記容器に開設した取出口と、前記ストレーナ内に臨むごとく前記容器底面に開設され、前記ストレーナの間隙を通過した液体を排水する出口と、前記容器の側面に開設した固液流入用の入口とを備え、前記リング体外形にはストレーナの回転に対応して前記入口に臨む切込みを形成したものである。
【００２１】
したがって、入口から容器に流入した固液は、直ちにストレーナの間隙に向かって流れて切込みに入り、続いて、切込みに入った固形物がスクレーパにより剥離されて取出口から回収（排出）される。
【発明の効果】
【００２２】
本発明の固液分離装置によれば、入口から容器に流入した固液が直ちにストレーナの切込みに入ところから、細かい固形物が液体に溶けることを抑制でき、大いに水質改善が図れるものである。
【発明を実施するための最良の形態】
【００２３】
第１の発明は、複数の平板状のリング体を間隙を介して積層して構成した円筒状のストレーナと、略円筒状の空間に前記ストレーナを回転自在に内蔵した容器と、前記ストレーナに付着した固形物を掻き取るスクレーパと、前記スクレーパに対して前記ストレーナの回転方向上流側に位置して前記容器に開設した取出口と、前記ストレーナ内に臨むごとく前記容器底面に開設され、前記ストレーナの間隙を通過した液体を排水する出口と、前記容器の側面に開設した固液流入用の入口とを備え、前記リング体外形にはストレーナの回転に対応して前記入口に臨む切込みを形成した。
【００２４】
したがって、入口から容器に流入した固液は、直ちにストレーナの間隙に向かって流れて切込みに入る。すなわち、固形物が固液内に分散する時間や空間がなく、細かい固形物が液体に溶けることが防止できる。
【００２５】
続いて、切込みに入った固形物はストレーナの回転に伴い移動してスクレーパにより剥離され、取出口から回収（排出）される。また、固形物に付着した液体は自重によりストレーナの間隙を通過して出口から排水される。この結果、排水の水質改善が図れる。
【００２６】
第２の発明は、特に、第１の発明の入口を回転軸より上方で、かつ上方へ回転する切込みに臨むように開口したことにより、切込みに入った固形物は固形物の自重により切込みから落下することが抑制できる。この結果、固形物は、再び液体内に分散し、細かい固形物は液体に溶けることがないので、排水の水質改善が図れる。
【００２７】
第３の発明は、特に、第１または２の発明において、入口には略水平方向の導入管を接続した。
【００２８】
これにより、入口から容器に流入した固液は回転するストレーナの外形に沿って流れるようになるので、固液がストレーナへの衝突が緩和される。この結果、固液がさらに混合することが防止されるので、細かい固形物は液体に溶けることがなく、排水の水質改善が図れる。
【００２９】
第４の発明は、特に、第１の発明において、ストレーナの長手方向に伸びるごとく切込みを各リング体に形成した。
【００３０】
したがって、切込みとしてまとまった容積が確保できるので、大きな固形物や固まりの固形物もスムーズに取り込むことができる。
【００３１】
第５の発明は、特に、第４の発明において、絶えず入口に臨むように各リング体の切込みの位置を回転方向に対してずらして設定した。
【００３２】
したがって、入口から容器に流入した固形物は、切込みにスムーズに入ることとなる。
【００３３】
第６の発明は、特に、第１の発明において、切込みは、略三日月形状に切込んだものである。
【００３４】
これにより、入口から容器に流入した固液は、直ちにストレーナの間隙に向かって流れ略三日月形状の切込み底部に落ち込むように入り、続いて切込みに入った固形物はストレーナの回転に伴い移動する。その際、切込みに入った固形物は固形物の自重により切込みから落下することが防止できる。
【００３５】
この結果、固形物は再び液体内に分散し、細かい固形物は液体に溶けることがないので、排水の水質改善が図れる。
【００３６】
第７の発明は、特に、第１の発明において、リング体の内形には、切込み近傍にリング体どおしを接合する接合部を形成した。
【００３７】
これにより、リング体の内形と切込みの間に接合部が形成されているので、リング体の強度向上が図れる。
【００３８】
この結果、ストレーナの間隙が確保できるので、固形物の分離性能の安定が図れる。
【００３９】
第８の発明は、特に、第１の発明において、切込みと対応してリング体の内形に補強部を設けた。
【００４０】
したがって、リング体に切込みがあっても強度的には問題がなく、結果として、ストレーナの間隙が確保できるので、固形物の分離性能の安定が図れる。
【００４１】
以下、本発明の実施の形態について、図面を参照しながら説明する。なお、この実施の形態によりこの発明が限定されるものではない。
【００４２】
（実施の形態１）
図１〜図３において、１はギヤドモータからなる駆動部２に連結した六角柱の回転軸であり、水平に設けている。
【００４３】
３は円形平板状のリング体（例えばステンレスで板厚１ｍｍ）であり、外形に三日月状の切込み４を適宜角度間隔（例えば６０°均等）で６個形成している。
【００４４】
５はリング体３の内形に形成され、しかも切込み４の底部近傍に対応した接合部であり、リング体３の内側から略中心（回転軸１）へ向かって３ヶ所形成した突出部６と、この突出部６の側面を略垂直方向へ段押し（例えば０．５ｍｍ）形成した円筒状の間隙設定部７と、同間隙設定部７の先端に開口した連通口８とからなる。
【００４５】
９はリング体３の内形で、かつ切込み４の底部近傍を略中心へ向かって拡げた補強部、１０は円筒状のストレーナであり、間隙設定部７を同一方向に整列したリング体３を接合部５が重なるように、かつ切込み４が長手方向に連続して位置するように設定して切込み部１１を形成するように積層して構成している。
【００４６】
そして、連通口８には固定棒１２を挿入し、この固定棒１２の両端には固定手段１３（ねじやＥリングなど）を取り付けている。
【００４７】
また、１４は一部のリング体３の突出部６を回転軸１へ伸ばした平板状の連結部であり、複数の連結部１４が集合したところに六角穴の連結口１５が開口され、かつ六角柱の回転軸１がこの連結口１５に挿入されている。
【００４８】
１６はストレーナ１０の各間隙に外側から内側へ先端が突出したスクレーパであり、スクレーパ支持板１７により位置決め（間隙）している。
【００４９】
１８は回転軸１を中心とした略円筒状の空間を形成し、ストレーナ１０を回転自在になるように内蔵した容器である。
【００５０】
１９はスクレーパ１６に対してストレーナ１０の回転方向上流側における容器１８の側面に内外を連通するように形成した排出通路であり、幅は容器１８筒方向の長さと、高さは切込み４の深さと同じから半分程度の寸法に設定してある。
【００５１】
２０は外側に臨ませた排出通路１９の取出口であり、ソレノイドまたは電動モータからの駆動部２１によりスライド自在の蓋体２２により開閉される。
【００５２】
２３は回転軸１より上方のストレーナ１０の間隙に対応し、かつ上方へ回転移動する途中の切込み４（切込み部１１）に臨むように容器１８側面に開口した入口であり、破砕機
（図示せず）が生ごみを破砕し、水道水と混合させて形成した固液が流入する。
【００５３】
２４は破砕機と入口２３をつなぐ導入管であり、入口２３近傍では水平に配管している。２５はストレーナ１０内の最も下の位置に開口した液体排出用の出口である。制御部（図示せず）は駆動部２と破砕機を制御する。
【００５４】
以上のように構成された固液分離装置において、その動作を説明する。
【００５５】
先ず、生ごみが破砕機に投入され、かつ水道水が流し込まれると、制御部が破砕機と駆動部２の駆動を開始する。そして、破砕機が生ごみを破砕し、水道水と混合させて形成した固液が導入管２４を通り、入口２３から容器１８に流入する。
【００５６】
同時に、駆動部２の動力が回転軸１を回転させ、接合部５と連結部７とを介してストレーナ１０を回転させる。
【００５７】
そして、容器１８に流入し、水平に流れようとする固液は、回転するストレーナ１０の外形端面と角度を有して接触するので、このストレーナ１０の外形に沿って流れるように上方へ向きを変える。
【００５８】
この結果、固液がストレーナ１０や切込み４への正面衝突が緩和され、固液がさらに混合することが防止できるので、細かい固形物（破砕された生ごみ）が液体に溶けることが抑制され、排水の水質改善が図れる。
【００５９】
なお、固液がストレーナ１０や切込み４への正面衝突をさらに防止するために、回転するストレーナ１０の接線方向に導入管４を配管することが有効であるが、反面、導入管４が下方から入口２３に接続されることになり、導入管４に重い固形物や流れにくい形状の固形物が堆積するという課題がある。
【００６０】
同時に固液は直ちにストレーナ１０の間隙に向かって流れ、その回転により入口２３に切込み４が臨むと、固液はその底部に落ち込むように入り込む。
【００６１】
すなわち、従来例のように、固形物を掻き揚げる必要もなく、容器１８に流入した固液が短時間で切込み４に入るので、固形物が固液内に分散する時間がなく、細かい固形物が液体に溶けることから防止できる。この結果、排水の水質改善が図れる。
【００６２】
他方、切込み４にはまとまった容積が確保できているので、大きな固形物や固まりの固形物もスムーズに切込み４に入ることができる。
【００６３】
続いて、切込み４に入った固形物はストレーナ１０の回転に伴い移動する際、切込み４が上方へ回転する（切込み４の開放側が底部より上方に位置する）ので、切込み４に入った固形物は固形物の自重により切込みから落下することがない。
【００６４】
この結果、固形物は、再び液体内に分散し、細かい固形物は液体に溶けることがないので、排水の水質改善が図れる。
【００６５】
また、固形物に付着した液体（水道水や生ごみの汁等）が自重によりストレーナ１０の間隙を通過して出口２５から排水される。他方、容器１８に流入した固液内の大部分液体は直ちにストレーナ１０の間隙を通過して出口２５から排水される。
【００６６】
最後に、ストレーナ１０の回転に伴い移動しスクレーパ１６へ運ばれた固形物は、同ス
クレーパ１６により切込み４から剥離して排出通路１９へ移動する。
【００６７】
続いて、固形物は、開口面積が半分になる排出通路１９の通路抵抗により同排出通路１９内に充満し、圧縮されて脱水される。
【００６８】
この脱水された液体はスクレーパ１６の間隙を通過し容器１８に戻り、脱水された固形物は取出口１７から排出される。
【００６９】
リング体３の内形と切込み４の間に連結部５または補強部９が設けられているので、リング体３の外形に切込み４が形成されていてもリング体３の強度維持が図れる。この結果、ストレーナ１０の間隙が確保できるので、固形物の分離性能の安定が図れる。
【００７０】
なお、切込み４はリング体３に一つ以上必要である。
【００７１】
（実施の形態２）
図４、図５は実施の形態２を示し、実施の形態１と異なるところは、切込み４の位置をリング体３の数枚毎に約半分ずらして形成し、切込み部１１が絶えず入口２３に臨むようにした点である。
【００７２】
なお、図１，２と同じ作用をする構成には同一符号を付すとともに、具体的な説明は実施の形態１のものを援用する。
【００７３】
入口２３から容器１８に流入した固液は、直ちにストレーナ１０の間隙に向かって流れ、切込み部１１に入る。
【００７４】
すなわち、固形物は常に切込み４に入ることができるので、ストレーナ１０の回転により入口２３に切込み部１１が臨むまでの間、細かい固形物が液体に溶けることから防止でき、この結果、排水の水質改善が図れる。
【産業上の利用可能性】
【００７５】
以上のように、本発明にかかる固液分離装置によれば、入口から容器に流入した固液が直ちにストレーナの切込みに入るところから、細かい固形物が液体に溶けることを抑制でき、大いに水質改善が図れるものであり、例えば、厨房の厨芥処理用などへの活用が期待できるものである。
【図面の簡単な説明】
【００７６】
【図１】本発明の実施の形態１における固液分離装置の正断面図
【図２】同固液分離装置の側断面図
【図３】同固液分離装置におけるストレーナの構成図
【図４】本発明の実施の形態２における固液分離装置の正断面図
【図５】同固液分離装置におけるストレーナの構成図
【図６】従来の固液分離装置の正断面図
【符号の説明】
【００７７】
２  リング体
４  切込み
５  接合部
９  補強部
１０  ストレーナ
１６  スクレーパ
１８  容器
２０  取出口
２３  入口
２４  導入管
２５  出口
【図１】
2009285559.tif 000003
【図２】
2009285559.tif 000004
【図３】
2009285559.tif 000005
【図４】
2009285559.tif 000006
【図５】
2009285559.tif 000007
【図６】
2009285559.tif 000008